(57)【特許請求の範囲】
【請求項１】
光学ディスクの情報を再生する光学ディスクドライブユニットおよびインターフェース部からなる光学ディスク装置において、前記光学ディスクドライブユニットから出力されるエラー訂正前のディスク出力信号を入力する入力部と、前記入力部に接続され一定の時定数を有した複数の単安定マルチバイブレータと、前記複数の単安定マルチバイブレータに接続した出力部とを設け、前記ディスク出力信号のエラーを検出する光学ディスクドライブユニット検査装置。
【請求項２】
入力部に接続され時定数が異なる第１、第２の単安定マルチバイブレータと、この第１、第２の単安定マルチバイブレータのそれぞれの出力の論理を計算する第１の論理回路と、この第１の論理回路に接続された第３の単安定マルチバイブレータと、この第３の単安定マルチバイブレータと前記第１の単安定マルチバイブレータのそれぞれの出力の論理を計算する第２の論理回路を設け、ディスク出力信号の欠落および誤信号のエラーを検出する請求項１記載の光学ディスクドライブユニット検査装置。
【発明の詳細な説明】
【０００１】
【産業上の利用分野】
本発明は光学ディスク装置の機能を保証するために行う光学ディスク信号検査装置に関するものである。
【０００２】
【従来の技術】
以下、従来の光学ディスク信号検査装置について図面を参照しながら説明する。
【０００３】
まず、光学ディスク装置の構成について説明する。
図５は光学ディスク装置の構成を示す説明図である。
【０００４】
図５に示すように、光学ディスク装置は、光学ディスク１３の情報を読み取る光ピックアップ４とモータ５とアンプ６とサーボ回路７と信号処理回路８およびこれらをコントロールするためのサブＣＰＵ９等とを有した光学ディスクドライブユニット１と、光学ディスクドライブユニット１より出力される各種データを、処理するとともに、エラー訂正回路１１でエラー訂正するデコーダ１０とＣＰＵ１２等とを有したインターフェース部２とを備えている。そして、光学ディスクドライブユニット１で再生された信号は、インターフェース部２で信号処理され、ホスト３へリードデータとして送られる。
【０００５】
このような光学ディスク装置の信号検査は、まず、標準のテストディスクを用いて、ホスト３よりコマンドを発行し、光学ディスクドライブユニット１でデータをリードする。そして、このデータをインターフェース部２のデコーダ１０よりホスト３に送り、データのエラーをチェックすることにより、光学ディスクドライブユニット１が正常に動作しているかどうかを検査するものである。
【０００６】
【発明が解決しようとする課題】
上記構成の信号検査では、インターフェース部２を介して信号検査を行うので、光学ディスクドライブユニット１のみの検査を行うことはできない。
【０００７】
また、インターフェース部２のデコーダ１０は光学ディスクドライブユニット１より出力される各種データのエラー訂正をするエラー訂正回路１１を有している。これにより、光学ディスクドライブユニット１でわずかのエラーがあっても、ホスト３側に出力される際のデータは、デコーダ１０のエラー訂正回路１１でエラー訂正されてしまっているので、光学ディスクドライブユニット１が正常に動作しているかどうかエラー検出できない。
【０００８】
したがって、光学ディスクドライブユニット１は、エラー訂正回路１１ではエラー訂正できない程度のエラーが突発的に発生する等して、光学ディスク装置の機能を確実に保証できないという問題点を有していた。
【０００９】
本発明は上記問題点を解決するために、光学ディスクドライブユニット１が正常に動作しているかどうかを的確に検査することができ、光学ディスク装置の機能を確実に保証することのできる光学ディスク信号検査装置を提供することを目的としている。
【００１０】
【課題を解決するための手段】
上記目的を達成するために本発明は、光学ディスクの情報を再生する光学ディスクドライブユニットおよびインターフェース部からなる光学ディスク装置において、前記光学ディスクドライブユニットから出力されるエラー訂正前のディスク出力信号を入力する入力部と、前記入力部に接続され一定の時定数を有した複数の単安定マルチバイブレータと、前記複数の単安定マルチバイブレータに接続した出力部とを設け、前記ディスク出力信号のエラーを検出する構成としたものである。
【００１１】
【作用】
上記構成によれば、標準のテストディスクにより出力されるディスク出力信号は一定の周波数を持ち、かつその周期が分かっているので、一定の時定数を有した単安定マルチバイブレータに上記のディスク出力信号を入力したとき、正常なディスク出力信号が出力されていれば、単安定マルチバイブレータからの出力が例えばＨレベルとなり、正常なディスク出力信号が出力されていなければ、単安定マルチバイブレータからの出力が例えばＬレベルとなり、光学ディスクドライブユニットが正常に動作しているかどうかを的確に検査することができる。
【００１２】
【実施例】
（実施例１）
以下、本発明の第１の実施例の光学ディスク信号検査装置について図面を参照しながら説明する。
【００１３】
図１は光学ディスク信号検査装置による検査時の構成を示す説明図、図２は同光学ディスク信号検査装置の検査時の波形図である。
【００１４】
図１に示すように、光学ディスク信号検査装置は、光学ディスク１３の情報を再生する光学ディスクドライブユニット１およびインターフェース部からなる光学ディスク装置において、この光学ディスクドライブユニット１から出力されるディスク出力信号を入力する入力端子１４と、この入力端子１４に接続し、一定の時定数を有した２つの単安定マルチバイブレータ１５と、この単安定マルチバイブレータ１５に接続した出力端子１６とを設けている。
【００１５】
このような光学ディスク信号検査装置を、光学ディスクドライブユニット１に接続するとともに、光学ディスクドライブユニット１にコマンドを送ったり、単安定マルチバイブレータ１５からの出力信号をチェックしたりするパーソナルコンピュータ１７に接続している。
【００１６】
また、光学ディスクドライブユニット１は光学ディスク１３の情報を読み取る光ピックアップ４とモータ５とアンプ６とサーボ回路７と信号処理回路８およびこれらをコントロールするためのサブＣＰＵ９等とを有している。
【００１７】
上記構成の光学ディスク信号検査装置について、以下その動作について説明する。
【００１８】
ドライブユニット１から出力される信号の内で、ドライブの動作状態を示す主なディスク出力信号としては、ＳＲＤＴ，ＳＲＣＫ，ＬＲＣＫ，ＳＵＢＱ，ＢＬＫＣＫ，ＣＬＤＣＫがある。ＳＲＤＴはシリアルの読みだしデータ、ＳＲＣＫはデータクロック、ＬＲＣＫは２バイト毎の同期クロック、ＳＵＢＱはアドレスを表すサブコード信号、ＢＬＫＣＫはブロッククロック、ＣＬＤＣＫはフレームクロックである。これらの信号の内、ＢＬＫＣＫ信号を例にとって説明する。ＢＬＫＣＫはドライブユニット１が正常動作している場合には、１３．３ｍＳの周期で出力されるパルスであるので、この周期を確認すれば、ドライブユニット１の正常動作を確認できたことになる。そこで、図２に示すように、例えばパルス間隔の１．５倍程度の時定数をもつ単安定マルチバイブレータ１５にディスク出力信号としてＢＬＫＣＫ信号を入力すれば、単安定マルチバイブレータ１５の出力信号としてＨ状態の信号が得られ、パソコンに入力してＨかＬかを判定することにより、ＢＬＫＣＫ信号が正常に出力されているのか、あるいはドライブの誤動作により正常でない信号が出力されているのかを判断することができる。
【００１９】
以上のように第１の実施例によれば、一定の時定数を有した単安定マルチバイブレータ１５にディスク出力信号を入力したとき、正常なディスク出力信号が出力されていれば、単安定マルチバイブレータ１５からの出力がＨレベルとなり、正常なディスク出力信号が出力されていなければ、単安定マルチバイブレータ１５からの出力がＬレベルとなり、光学ディスクドライブユニット１が正常に動作しているかどうかを的確に検査でき、光学ディスク装置の機能を確実に保証することができる。
【００２０】
（実施例２）
以下、本発明の第２の実施例の光学ディスク信号検査装置について図面を参照しながら説明する。
【００２１】
図３は光学ディスク信号検査装置の構成を示す説明図、図４は同光学ディスク信号検査装置の検査時の波形図である。
【００２２】
第２の実施例における光学ディスク信号検査装置は、第１の実施例における光学ディスク信号検査装置において、時定数が少なくとも１つは異なる単安定マルチバイブレータ１５を複数設けるとともに、上記単安定マルチバイブレータ１５にそれぞれ接続した複数の出力部からの出力の論理を計算する論理回路を設けている。
【００２３】
図３に示すように、光学ディスク信号検査装置は、光学ディスクドライブユニット１から出力されるディスク出力信号を入力する入力端子１４と、この入力端子１４に接続し、一定の時定数を有した２つの単安定マルチバイブレータ１７，１８と、この２つの単安定マルチバイブレータ１７，１８の各々の出力を入力するＮＡＮＤ回路１９と、ＮＡＮＤ回路１９の出力を入力とする単安定マルチバイブレータ２０と、単安定マルチバイブレータ２０の出力と単安定マルチバイブレータ１７の出力を入力する回路２１と、この回路２１の出力を入力とする回路２２とを有している。
【００２４】
また、単安定マルチバイブレータ１７，２０はその時定数がＢＬＫＣＫの時定数の１．５倍、単安定マルチバイブレータ１８はその時定数がＢＬＫＣＫの時定数の０．５倍としている。
【００２５】
上記構成の光学ディスク信号検査装置について、以下その動作を説明する。
図４（ａ）に示すように、正常のＢＬＫＣＫ信号が入力された場合、単安定マルチバイブレータ１７の出力はＨレベル、単安定マルチバイブレータ１８の出力はパルス信号となり、回路２２から出力される論理積出力は常にＨレベルとなり、正常信号であることが分かる。
【００２６】
一方、図４（ｂ）に示すように、光学ディスクドライブユニット１の誤動作により、ＢＬＫＣＫ信号の１．５倍以上のパルス間隔を有した異常信号が入力された場合、単安定マルチバイブレータ１７，１８の出力はともにパルス信号となり、回路２２から出力される論理積出力もパルス信号となって、正常信号でないことが分かる。
【００２７】
また、図４（ｃ）に示すように、ＢＬＫＣＫ信号の０．５倍以下のパルス間隔を有した異常信号が入力された場合、単安定マルチバイブレータ１７，１８の出力はともにＨレベルとなり、回路２２から出力される論理積出力は常にＬレベルとなって、正常信号でないことが分かる。
【００２８】
以上のように第２の実施例によれば、時定数が少なくとも１つは異なる単安定マルチバイブレータ１７，１８，２０を複数設けるとともに、この単安定マルチバイブレータ１７，１８，２０にそれぞれ接続した複数の出力部からの出力の論理を計算する論理回路を設けているので、入力端子１４から入力される光学ディスクドライブユニット１のディスク出力信号が正常な信号であるか異常な信号であるかを検査できるだけでなく、どのような波形状態の信号であるかも検査でき、光学ディスク装置の機能を確実に保証することができる。
【００２９】
【発明の効果】
以上のように本発明によれば、光学ディスクドライブユニットが正常に動作しているかどうかを的確に検査することができ、光学ディスク装置の機能を確実に保証することのできる光学ディスク信号検査装置を提供することができるものである。
【図面の簡単な説明】
【図１】本発明の第１の実施例における光学ディスク信号検査装置による検査時の構成を示す説明図
【図２】同光学ディスク信号検査装置の検査時の波形図
【図３】本発明の第２の実施例における光学ディスク信号検査装置の構成を示すブロック図
【図４】同光学ディスク信号検査装置の検査時の波形図
【図５】従来の光学ディスク装置の構成を示すブロック図
【符号の説明】
１  光学ディスクドライブユニット
４  光ピックアップ
５  モータ
６  アンプ
７  サーボ回路
８  信号処理回路
９  サブＣＰＵ
１３  光学ディスク
１４  入力端子
１５  単安定マルチバイブレータ
１６  出力端子
１７  パーソナルコンピュータ
【図１】
0003663650.tif 000002
【図２】
0003663650.tif 000003
【図３】
0003663650.tif 000004
【図４】
0003663650.tif 000005
【図５】
0003663650.tif 000006